(57)【要約】      （修正有）【課題】ノブシャフトとベアリングとの間にガタが生じない構造を有する釣りリール用ハンドルを提供する。【解決手段】釣りリール用ハンドル１は，略円筒状のノブシャフト３と，ノブシャフト３の一端部と他端よりも内側の部分とに位置する２つのボールベアリング４，５を介してノブシャフト３の周りに回動可能に設けられた略円筒状のノブ６と，を備え、ノブシャフト３に挿通されて，２つのボールベアリング４，５間に位置する円筒状のディスタンスカラー９と，ノブシャフト３の一端面に螺着される固定ネジ１０と，を備え、そして，一方のボールベアリング４の内輪４ａは，固定ネジ１０の頭部の裏面とディスタンスカラー９の一端面に密着した状態で挟まれて固定され，他方のボールベアリング５の内輪５ａは，ディスタンスカラー９の他端面とノブシャフト３の大径部３ａの一段目に密着した状態で挟まれて固定された構造とする。【選択図】図２
2016131514.tif 000002
【特許請求の範囲】
【請求項１】
ノブシャフトと，前記ノブシャフトの両端に設置された２つのベアリングを介して前記ノブシャフトの周りに回動可能に設けられたノブと，を備えた釣り用リールに用いられるハンドルであって，
前記２つのベアリングの内輪もしくは外輪の少なくともいずれか一方が，前記ハンドルの構成部材に密着した状態で挟まれて固定されていることを特徴とする釣り用リールに用いられるハンドル。
【請求項２】
前記２つのベアリング間に設けられた隙間調整部材と，前記ノブシャフトの一端面に螺着される固定ネジと，を備え，
一方の前記ベアリングの内輪が，前記固定ネジと前記隙間調整部材に密着した状態で挟まれて固定され，
他方の前記ベアリングの内輪が，前記隙間調整部材と前記ノブシャフトに密着した状態で挟まれて固定されていることを特徴とする請求項１に記載の釣り用リールに用いられるハンドル。
【請求項３】
前記隙間調整部材が，前記ノブシャフトに挿通される円筒状部材からなることを特徴とする請求項２に記載の釣り用リールに用いられるハンドル。
【請求項４】
前記ノブの前記固定ネジ側の端部を閉塞するカバーネジをさらに備え，
一方の前記ベアリングの外輪が，前記カバーネジと前記ノブに密着した状態で挟まれて固定されていることを特徴とする請求項２又は３に記載の釣り用リールに用いられるハンドル。
【請求項５】
前記ノブシャフトが，前記ベアリングと密着するための突起部を有し，当該突起部と，前記固定ネジもしくはメインプレートのいずれか又は両方とで，前記ベアリングの内輪が密着した状態で挟まれて固定されていることを特徴とする請求項２から４のいずれか１項に記載の釣り用リールに用いられるハンドル。
【請求項６】
請求項１から５のいずれか１項に記載の釣り用リールに用いられるハンドルに取り換えるための部材を備えた交換キット。
【請求項７】
ノブシャフトと，前記ノブシャフトの両端に設置された２つのベアリングを介して前記ノブシャフトの周りに回動可能に設けられたノブと，を備えた釣り用リールに用いられるハンドルのガタ防止方法であって、
前記２つのベアリングの内輪もしくは外輪の少なくともいずれか一方を，前記ハンドルの構成部材で密着した状態で挟んで固定することを特徴とする釣り用リールに用いられるハンドルのガタ防止方法。
【発明の詳細な説明】
【背景技術】
【０００１】
本発明は，釣り用リールに用いられるハンドルに関する。
【０００２】
釣り用リールは，ハンドルが着脱式に取り換え可能な方式となっている。通常，釣り用リールが販売されている場合には，標準のハンドルが備えられており，利き腕の関係もあって，左右に取り換え可能になっているものも多い。また，標準のハンドルを，自らの趣味・趣向に合わせたハンドルに取り換えることが行われることも多い。そのため，種々の取り換え用ハンドルが開発され，販売が行われている（特許文献１）。
【先行技術文献】
【特許文献】
【０００３】
【特許文献１】実用新案登録第３１６６９３８号公報
【発明の概要】
【発明が解決しようとする課題】
【０００４】
現在，釣り用リールに用いられる標準ハンドルや販売されている取り換え用ハンドルについて，これらのハンドル部分は，基本的には同様の原理に基づいて部品が構成されている。
すなわち，中心軸であるノブシャフトに，リール本体側（以下，ノブの両端のうちリール本体側の方を「内側」，もう一方の側を「外側」という）から，ベアリング，ノブ，ワッシャー，ベアリングの順に挿通し，これら一連の部品をネジで締めた構造である。他に，カラーなど，ワッシャーとベアリング，ノブとワッシャー間の距離を調整する部材が用いられたり，ワッシャーが内側に追加されたりする場合などがあるが，基本的には同様の構造であり，ノブシャフトを中心軸として，ノブがワッシャーとベアリングに挟まれた構造となっている。また，ノブシャフトの外径は，ベアリングの内径よりも若干小さい径となっていることが通常であり，押し込んだりしなくてもスムーズにベアリングをノブシャフトに挿通することができる構造となっている。この基本的構造により，ベアリングがスムーズにノブシャフトに嵌るとともに，両側から構成部材に挟まれる形となり，一連の部材がノブシャフトの軸方向にわずかな隙間を持った形で緩やかに固定された構造となっている。
【０００５】
このような共通した基本的構造となるのは，ノブをもってハンドルを回転させる際に，ノブを一方向の向きに固定しながら，ハンドルを回転させることを可能とするため，このような基本的構造が定着してきたからであると考えられる。加えて，釣り用リールに用いられるハンドルに特有な事情として，ハンドルの内部に海水が流入することがしばしばあり，これが原因で錆などが生じ回転が鈍くなる場合などがあるため，部品交換や分解洗浄などがしやすいような構造になっているものと考えられる。
【０００６】
しかしながら，この基本的構造には課題があることを発明者は感じていた。すなわち，緩みから生ずるずれ（以下，「ガタ」という）が生じやすい点，ならびに，ガタの調整に比較的手間がかかる点である。
ノブシャフトに必要な部材を挿通した結果，ノブシャフトに複数の部材が連なってハンドルが構成されることとなるが，構成部材は軸方向にわずかな隙間を持った形で固定されている。このわずかな隙間は，ワッシャーを複数用いることにより解消しうるものではある。しかしながら，ワッシャー自体は，0.1mm，0.15mm，0.2mm，0.5mmなど極めて薄い部材として市販されているものであり，これらを組み合わせてガタの無いちょうど良いあんばいのハンドルとすることは，非常に手間のかかる作業である。また，ワッシャーが多すぎると，ベアリングがうまく機能せず，ノブの回転が重くなってしまうことがある。このようにワッシャー自体が軸方向に不完全に固定された状態であり，また，ノブシャフトの外径がベアリングの内径よりも若干小さく，かつ，ノブの内径がベアリングの外径よりも若干大きいため，ノブシャフトの径方向についてもガタが生じてしまう。
【０００７】
上記事情を背景として，本発明では，ノブシャフトとベアリングとの間にガタが生じない構造を有する釣り用リールに用いられるハンドル等の開発を課題とする。
【課題を解決するための手段】
【０００８】
発明者は，この基本的構造の構造上の問題が，ワッシャーを介するなどした不完全なベアリングの固定にあることを見出し，釣り用具としての部品交換や分解洗浄のしやすさなどは維持しつつ，ベアリングの内輪もしくは外輪を別個に固定する構造に着想し，ノブシャフトとベアリングとの間にガタが生じない構造を有する釣り用リールに用いられるハンドルに関する発明を完成させるに至った。
【０００９】
本発明は，以下の構成からなる。
本発明の第一の構成は，ノブシャフトと，前記ノブシャフトの両端に設置された２つのベアリングを介して前記ノブシャフトの周りに回動可能に設けられたノブと，を備えた釣り用リールに用いられるハンドルであって，
前記２つのベアリングの内輪もしくは外輪の少なくともいずれか一方が，前記ハンドルの構成部材に密着した状態で挟まれて固定されていることを特徴とする釣り用リールに用いられるハンドルである。
【００１０】
本発明において，「ノブシャフトの両端」は，ノブシャフトの左右の端っこのみを意味するものではなく，端っこならびにその近傍を含むものとして定義される。すなわち，本発明の要旨に鑑み，実施形態等からも明らかなように，ノブシャフトの内側ならびに外側に設置される２つのベアリングについて，ハンドルの構造上，回動可能に設置しうる範囲という意味合のものとして「ノブシャフトの両端」は定義されるものである。
【００１１】
本発明の第二の構成は，前記２つのベアリング間に設けられた隙間調整部材と，前記ノブシャフトの一端面に螺着される固定ネジと，を備え，
一方の前記ベアリングの内輪が，前記固定ネジと前記隙間調整部材に密着した状態で挟まれて固定され，
他方の前記ベアリングの内輪が，前記隙間調整部材と前記ノブシャフトに密着した状態で挟まれて固定されていることを特徴とする第一の構成に記載の釣り用リールに用いられるハンドルである。
本発明の第三の構成は，前記隙間調整部材が，前記ノブシャフトに挿通される円筒状部材からなることを特徴とする第二の構成に記載の釣り用リールに用いられるハンドルである。
【００１２】
本発明の第四の構成は，前記ノブの前記固定ネジ側の端部を閉塞するカバーネジをさらに備え，
一方の前記ベアリングの外輪が，前記カバーネジと前記ノブに密着した状態で挟まれて固定されていることを特徴とする第二又は第三の構成に記載の釣り用リールに用いられるハンドルである。
【００１３】
本発明の第五の構成は，前記ノブシャフトが，前記ベアリングと密着するための突起部を有し，当該突起部と，前記固定ネジもしくはメインプレートのいずれか又は両方とで，前記ベアリングの内輪が密着した状態で挟まれて固定されていることを特徴とする第二から第四の構成に記載の釣り用リールに用いられるハンドルである。
【００１４】
本発明の第六の構成は，第一から第五の構成に記載の釣り用リールに用いられるハンドルに取り換えるための部材を備えた交換キットである。
本発明の第七の構成は，ノブシャフトと，前記ノブシャフトの両端に設置された２つのベアリングを介して前記ノブシャフトの周りに回動可能に設けられたノブと，を備えた釣り用リールに用いられるハンドルのガタ防止方法であって、
前記２つのベアリングの内輪もしくは外輪の少なくともいずれか一方を，前記ハンドルの構成部材で密着した状態で挟んで固定することを特徴とする釣り用リールに用いられるハンドルのガタ防止方法である。
【発明の効果】
【００１５】
本発明により，ノブシャフトとベアリングとの間にガタが生じない構造を有する釣り用リールに用いられるハンドルの提供が可能となった。
すなわち，本発明の釣り用リールに用いられるハンドルによれば，ベアリングがハンドル構成部材に密着した状態で挟まれて完全に固定された状態となるので，ノブシャフトとベアリングとの間にガタが生じない釣り用リールに用いられるハンドルを提供することが可能となる。
加えて本発明によれば，釣りリール用ハンドルの各構成部材が隙間なく連なることにより，魚がかかった際の感触がより敏感に伝わることとなり，魚釣りの楽しみを向上させるという効果を有する。
【図面の簡単な説明】
【００１６】
【図１】本発明の実施の形態１における釣り用リールに用いられるハンドルの全体構成を示す側断面図
【図２】本発明の実施の形態１における釣り用リールに用いられるハンドルの主要部を示す拡大側断面図
【図３】本発明の実施の形態１における釣り用リールに用いられるハンドルの他の例の主要部を示す拡大側断面図
【図４】本発明の実施の形態２における釣り用リールに用いられるハンドルの主要部を示す拡大側断面図
【発明を実施するための形態】
【００１７】
以下，本発明の釣り用リールに用いられるハンドル（以下，「釣りリール用ハンドル」という）等について，詳述する。
【００１８】
＜＜Ｉ．本発明の要旨＞＞
本発明は，釣りリール用ハンドルの構造上の問題である，ワッシャーを介するなどした不完全なベアリングの固定を排除し，釣り用具としての部品交換や分解洗浄のしやすさなどは維持しつつ，ベアリングの内輪もしくは外輪を，ハンドルを構成する部材により密着して挟み，別個に固定する釣りリール用ハンドル，そのための釣りリール用ハンドル交換キット，釣りリール用ハンドルのガタ防止方法の発明である。
すなわち，釣りリール用ハンドルの特徴である，ノブシャフトの外径がベアリングの内径よりも若干小さく，ノブの内径がベアリングの外径よりも若干大きいなど，部品交換や分解洗浄のしやすさを保つための隙間の多い構造は維持しつつ，ハンドルの構成部材により，ベアリングの内輪もしくは外輪のいずれか又は両方を別個に固定し，釣りリール用ハンドルのガタを防止することを発明の要旨とする。
【００１９】
本発明の要旨を鑑みると，ベアリングの固定形態について，下記の態様が挙げられる。なお，内側ベアリングとは，ノブの両端のうちリール本体側に設置されるベアリングのことであり（例えば，図１でいえば５），外側ベアリングとは，その反対側に設置されるベアリング（例えば，図１でいえば４）のことである。
(1)  内側ベアリングと外側ベアリングのそれぞれについて，内輪，外輪ともに密着固定を行う。
(2)  内側ベアリングと外側ベアリングのそれぞれについて，内輪のみ，もしくは外輪のみの密着固定を行う。
(3)  内側ベアリングと外側ベアリングのそれぞれについて内輪の密着固定を行ったうえで，固定を行っていない，内側ベアリングと外側ベアリングの外輪について，いずれか一方のみの密着固定を行う。
(4)  内側ベアリングと外側ベアリングのそれぞれについて外輪の密着固定を行ったうえで，固定を行っていない，内側ベアリングと外側ベアリングの内輪について，いずれか一方のみの密着固定を行う。
(5)  内側ベアリングについては内輪のみの密着固定を行い，外側ベアリングについては外輪のみの密着固定を行う。
(6)  内側ベアリングについては外輪のみの密着固定を行い，外側ベアリングについては内輪のみの密着固定を行う。
【００２０】
ベアリングを挟むための構成部材については，ハンドルを構成するために必要な部材である限り，特に限定されるものではなく，種々の構成部材を用いることができ，必要に応じて，構成部材の形状を変化させるなどすることにより，用いることができる。このような構成部材としては，例えば，ノブ，ノブシャフト，固定ネジ，カバーネジ，メインプレート，隙間調整部材（ディスタンスカラー）などが挙げられる。
【００２１】
本発明においては，ベアリングを挟むための構成部材として隙間調整部材（ディスタンスカラー）を用いることが好ましい。この好ましい構成によれば，従来の部材の構造を大きく変えることなく，ベアリングの内輪の密着固定が可能となるため，釣りリール用ハンドルの取扱性を向上させ，より安価に本発明の釣りリール用ハンドルを作製できるという効果が得られる。
隙間調整部材としては，典型的には，ノブシャフトに挿通される円筒状部材を用いればよい。円筒状部材の内径については，ノブシャフトの外径よりもわずかに大きな径とすればよく，また，円筒状部材の外径については，ノブの内径よりもわずかに小さい径とし，その厚みはベアリングの内輪の厚みとほぼ同様の厚みとすればよい。
【００２２】
本発明においては，ノブシャフトの形状を変化させて，ベアリングを密着固定するための突起部を設けることが好ましい。この好ましい構成によれば，構成部材の部材数を大きく変えることなく，ベアリングを密着固定できることから，本発明の釣りリール用ハンドルをより経済的に作製できることが期待できる。
【００２３】
本発明においては，ノブの固定ネジ側の端部を閉塞するカバーネジをさらに備え，当該カバーネジによって外側ベアリングの外輪を固定することが好ましい。この好ましい構成によれば，構成部材の部材数や従来の構造を大きく変えることなく，外側ベアリングを密着固定できることから，本発明の釣りリール用ハンドルをより経済的に作製できるという効果が得られる。
【００２４】
なお，本発明の要旨を鑑みると，構成部材としてワッシャーは含まれるものではないが，これを完全に排除する趣旨ではない。すなわち，実質的には，ワッシャーを除く構成部材でベアリングの内輪もしくは外輪を固定することが可能であるにも関わらず，単に，調整部材の備品としてワッシャーを含むような釣りリール用ハンドルキットなどは，本発明の要旨に添うものであり，権利の及ぶ範囲にあるものである。
【００２５】
＜＜II．実施の形態＞＞
以下，好適な実施の形態を用いて本発明をさらに具体的に説明する。但し，下記の実施の形態は本発明を具現化した例に過ぎず，本発明はこれに限定されるものではない。
【００２６】
［実施の形態１］
まず，本発明の実施の形態１における釣り用リールに用いられるハンドル（以下，「釣りリール用ハンドル」という）について，図１，図２を参照しながら説明する。
【００２７】
図１は，本発明の実施の形態１における釣りリール用ハンドルの全体構成を示す側断面図，図２は，当該釣りリール用ハンドルの主要部を示す拡大側断面図である。
【００２８】
図１，図２に示すように，本実施の形態の釣りリール用ハンドル１は，図示しないリール本体にメインプレート２を介して連結された略円筒状のノブシャフト３と，ノブシャフト３の一端部と他端よりも内側の部分とに位置する２つのボールベアリング４，５を介してノブシャフト３の周りに回動可能に設けられた略円筒状のノブ６と，を備えている。ここで，釣りリール用ハンドル１は，バランスをとるために，リール本体に対して対称に２つ設けられている。また，ノブシャフト３の他端よりも内側の部分には，二段からなる段差状の大径部３ａが形成されている。そして，ノブシャフト３の他端は，メインプレート２の貫通孔２ａに差し込み，ノブシャフト３の他端面にネジ７を螺着することにより，メインプレート２に連結されている。さらに，ノブ６の内周面には，内方に突出する円筒状の凸部８が形成されている。
釣りリール用ハンドル１において，２つのボールベアリング４，５の内輪４ａ，５ａもしくは外輪４ｂ，５ｂの少なくともいずれか一方は，釣りリール用ハンドル１の構成部材に密着した状態で挟まれて固定されている。
【００２９】
より具体的には，釣りリール用ハンドル１は，ノブシャフト３に挿通されて，２つのボールベアリング４，５間に位置する円筒状のディスタンスカラー９と，ノブシャフト３の一端面に螺着される固定ネジ１０と，を備えている。そして，一方のボールベアリング４の内輪４ａは，固定ネジ１０の頭部の裏面とディスタンスカラー９の一端面に密着した状態で挟まれて固定されている。また，他方のボールベアリング５の内輪５ａは，ディスタンスカラー９の他端面とノブシャフト３の大径部３ａの一段目に密着した状態で挟まれて固定されている。
【００３０】
本実施の形態の釣りリール用ハンドル１の構成によれば，２つのボールベアリング４，５が完全に固定された状態となるので，ノブシャフト３と２つのボールベアリング４，５との間にガタが生じない釣りリール用ハンドルを提供することができる。
【００３１】
釣りリール用ハンドル１は，ノブ６の固定ネジ１０側の端部を閉塞するカバーネジ１１をさらに備えている。そして，一方のボールベアリング４の外輪４ｂは，カバーネジ１１の先端面とノブ６の凸部８の一端面に密着した状態で挟まれて固定されている。
この構成によれば，さらなるガタつきの防止を図ることが可能な釣りリール用ハンドルを提供することができる。
【００３２】
上記のような構成部材を備えた釣りリール用ハンドル１は，以下のようにして組み立てられる。すなわち，まず，ノブシャフト３の他端をメインプレート２の貫通孔２ａに差し込み，ノブシャフト３の他端面にネジ７を螺着することにより，ノブシャフト３をメインプレート２に連結する。次いで，ノブシャフト３に，他方のボールベアリング５，ディスタンスカラー９，ノブ６，一方のボールベアリング４を，この順番で挿通する。次いで，ノブシャフト３の一端面に，固定ネジ１０を螺着する。これにより，一方のボールベアリング４の内輪４ａが，固定ネジ１０の頭部の裏面とディスタンスカラー９の一端面に密着した状態で挟まれて固定されるとともに，他方のボールベアリング５の内輪５ａが，ディスタンスカラー９の他端面とノブシャフト３の大径部３ａの一段目に密着した状態で挟まれて固定され，ノブシャフト３と２つのボールベアリング４，５との間にガタが生じない釣りリール用ハンドル１が得られる。
最後に，ノブ６の固定ネジ１０側の端部の内径部分に，カバーネジ１１を螺着する。これにより，一方のボールベアリング４の外輪４ｂが，カバーネジ１１の先端面とノブ６の凸部８の一端面に密着した状態で挟まれて固定され，さらなるガタつきの防止を図ることが可能な釣りリール用ハンドル１が得られる。
【００３３】
また，上記のような構成部材を備えた釣りリール用ハンドル１は，以下のようにして分解される。すなわち，まず，カバーネジ１１，固定ネジ１０を，この順番で外す。次いで，ノブシャフト３から，一方のボールベアリング４，ノブ６，ディスタンスカラー９，他方のボールベアリング５を，この順番で抜き取る。最後に，ネジ７を外して，ノブシャフト３の他端をメインプレート２の貫通孔２ａから抜き取る。以上により，釣りリール用ハンドル１の構成部材がバラバラに分解され，構成部材の交換や洗浄などのメンテナンスが可能となる。
【００３４】
なお，本実施の形態においては，２つのボールベアリング４，５の内輪４ａ，５ａと一方のボールベアリング４の外輪４ｂが，釣りリール用ハンドル１の構成部材に密着した状態で挟まれて固定されている場合を例に挙げて説明したが，必ずしもこのような構成に限定されるものではない。例えば，図３に示すように，２つのボールベアリング４，５の内輪４ａ，５ａのみが，釣りリール用ハンドル１２の構成部材に密着した状態で挟まれて固定されていてもよい。
図３に示す釣りリール用ハンドル１２においては，図１，図２に示す釣りリール用ハンドル１と異なり，カバーネジ１１’の先端部が短くなっている。そして，一方のボールベアリング４の内輪４ａは，固定ネジ１０の頭部の裏面とディスタンスカラー９の一端面に密着した状態で挟まれて固定されており，他方のボールベアリング５の内輪５ａは，ディスタンスカラー９の他端面とノブシャフト３の大径部３ａの一段目に密着した状態で挟まれて固定されている。一方，２つのボールベアリング４，５の外輪４ｂ，５ｂは，密着固定されていない。
【００３５】
また，本実施の形態においては，ベアリングとしてボールベアリング４，５を用いる場合を例に挙げて説明したが，必ずしもこのような構成に限定されるものではない。ベアリングは，内輪と外輪を有するローリングベアリングであればよく，例えば，ローラベアリング等を用いることもできる。
【００３６】
また，本実施の形態においては，ノブシャフトとして略円筒状のノブシャフト３を用いる場合を例に挙げて説明したが，必ずしもこのような構成に限定されるものではない。ノブシャフトは，両端部に固定ネジ１０とネジ７を螺着するためのネジ孔を有していればよく，その他の部分は中実円柱状に形成されていてもよい。
【００３７】
［実施の形態２］
次に，本発明の実施の形態２における釣りリール用ハンドルについて，図４を参照しながら説明する。
【００３８】
図４は，本発明の実施の形態２における釣りリール用ハンドルの主要部を示す拡大側断面図である。
【００３９】
図４に示すように，本実施の形態の釣りリール用ハンドル１３は，図示しないリール本体にメインプレート１４を介して連結された略円柱状のノブシャフト１５と，ノブシャフト１５の一端部と他端よりも内側の部分とに位置する２つのボールベアリング１６，１７を介してノブシャフト１５の周りに回動可能に設けられた略円筒状のノブ１８と，を備えている。ここで，ノブシャフト１５の両端よりも内側の部分には，大径部１５ａ，１５ｂが形成されている。そして，ノブシャフト１５の他端は，当該ノブシャフト１５の他端に他方のボールベアリング１７を挿通した状態で，メインプレート１４の貫通孔１４ａに差し込み，ノブシャフト１５の他端面にネジ１９を螺着することにより，メインプレート１４に連結されている。また、メインプレート１４の他方のボールベアリング１７側の貫通孔１４ａの周りには，二段からなる段差状部分１４ｂが形成されている。さらに，ノブ１８の内周面には，内方に突出する円筒状の凸部２０が形成されている。
釣りリール用ハンドル１３において，２つのボールベアリング１６，１７の内輪１６ａ，１７ａもしくは外輪１６ｂ，１７ｂの少なくともいずれか一方は，釣りリール用ハンドル１３の構成部材に密着した状態で挟まれて固定されている。
【００４０】
より具体的には，釣りリール用ハンドル１３は，ノブシャフト１５の一端面に螺着される固定ネジ２１を備えている。そして，一方のボールベアリング１６の内輪１６ａは，固定ネジ２１の頭部の裏面とノブシャフト１５の大径部１５ａに密着した状態で挟まれて固定されている。また，他方のボールベアリング１７の内輪１７ａは，ノブシャフト１５の大径部１５ｂとメインプレート１４の段差状部分１４ｂの二段目に密着した状態で挟まれて固定されている。
【００４１】
本実施の形態の釣りリール用ハンドル１３の構成によれば，２つのボールベアリング１６，１７が完全に固定された状態となるので，ノブシャフト１５と２つのボールベアリング１６，１７との間にガタが生じない釣りリール用ハンドルを提供することができる。
また，本実施の形態の釣りリール用ハンドル１３の構成によれば，ディスタンスカラーを構成部材として含まないため，部品点数を削減して軽量化を図ることができるとともに，低コスト化を図ることもできる。
【００４２】
釣りリール用ハンドル１３は，ノブ１８の固定ネジ２１側の端部を閉塞するカバーネジ２２をさらに備えている。そして，一方のボールベアリング１６の外輪１６ｂは，カバーネジ２２の先端面とノブ１８の凸部２０の一端面に密着した状態で挟まれて固定されている。
この構成によれば，さらなるガタつきの防止を図ることが可能な釣りリール用ハンドルを提供することができる。
【００４３】
上記のような構成部材を備えた釣りリール用ハンドル１３は，以下のようにして組み立てられる。すなわち，まず，ノブシャフト１５の他端に他方のボールベアリング１７を挿通した状態で，当該ノブシャフト１５の他端をメインプレート１４の貫通孔１４ａに差し込み，ノブシャフト１５の他端面にネジ１９を螺着することにより，ノブシャフト１５をメインプレート１４に連結する。次いで，ノブシャフト１５に，ノブ１８，一方のボールベアリング１６を，この順番で挿通する。次いで，ノブシャフト１５の一端面に，固定ネジ２１を螺着する。これにより，一方のボールベアリング１６の内輪１６ａが，固定ネジ２１の頭部の裏面とノブシャフト１５の大径部１５ａに密着した状態で挟まれて固定されるとともに，他方のボールベアリング１７の内輪１７ａが，ノブシャフト１５の大径部１５ｂとメインプレート１４の段差状部分１４ｂの二段目に密着した状態で挟まれて固定され，ノブシャフト１５と２つのボールベアリング１６，１７との間にガタが生じない釣りリール用ハンドルが得られる。
最後に，ノブ１８の固定ネジ２１側の端部の内径部分に，カバーネジ２２を螺着する。これにより，一方のボールベアリング１６の外輪１６ｂが，カバーネジ２２の先端面とノブ１８の凸部２０の一端面に密着した状態で挟まれて固定され，さらなるガタつきの防止を図ることが可能な釣りリール用ハンドルが得られる。
【００４４】
また，上記のような構成部材を備えた釣りリール用ハンドル１３は，以下のようにして分解される。すなわち，まず，カバーネジ２２，固定ネジ２１を，この順番で外す。次いで，ノブシャフト１５から，一方のボールベアリング１６，ノブ１８を，この順番で抜き取る。最後に，ネジ１９を外して，ノブシャフト１５の他端をメインプレート１４の貫通孔１４ａから抜き取るとともに，ノブシャフト１５の他端から他方のボールベアリング１７を抜き取る。以上により，釣りリール用ハンドル１３の構成部材がバラバラに分解され，構成部材の交換や洗浄などのメンテナンスが可能となる。
【００４５】
なお，本実施の形態においては，ベアリングとしてボールベアリング１６，１７を用いる場合を例に挙げて説明したが，必ずしもこのような構成に限定されるものではない。ベアリングは，内輪と外輪を有するローリングベアリングであればよく，例えば，ローラベアリング等を用いることもできる。
【００４６】
また，本実施の形態においては，ノブシャフトとして略円柱状のノブシャフト１５を用いる場合を例に挙げて説明したが，必ずしもこのような構成に限定されるものではない。ノブシャフトは，上記実施の形態１の釣りリール用ハンドル１の場合と同様に，略円筒状に形成されていてもよい。
【符号の説明】
【００４７】
１，１２，１３  釣り用リールに用いられるハンドル（釣りリール用ハンドル）
２，１４  メインプレート
２ａ，１４ａ  貫通孔
３，１５  ノブシャフト
３ａ，１５ａ，１５ｂ  大径部
４，５，１６，１７  ボールベアリング
４ａ，５ａ，１６ａ，１７ａ  内輪
４ｂ，５ｂ，１６ｂ，１７ｂ  外輪
６，１８  ノブ
７，１９  ネジ
８，２０  凸部
９  ディスタンスカラー
１０，２１  固定ネジ
１１，１１’，２２  カバーネジ
１４ｂ  段差状部分 
【図１】
2016131514.tif 000003
【図２】
2016131514.tif 000004
【図３】
2016131514.tif 000005
【図４】
2016131514.tif 000006